(57)【要約】【課題】  ノイズが記録される恐れがある場合に応じた記録制御を行う。【解決手段】  被写体を撮像する撮像手段と、音声を集音するマイクロフォンと、前記撮像手段により得られた画像データと前記マイクロフォンより得られた音声データとを記録媒体に記録する記録手段と、前記マイクロフォンの出力に基づいて、前記記録媒体に対する記録動作に伴って発生する音量と消費電力が互いに異なる複数の制御モードのうちの一つを選択し、この選択した制御モードにより前記記録手段の記録動作を制御する制御手段とを備える。【選択図】  図１
2006005722.tif 000002
【特許請求の範囲】
【請求項１】
被写体を撮像する撮像手段と、
音声を集音するマイクロフォンと、
前記撮像手段により得られた画像データと前記マイクロフォンより得られた音声データとを記録媒体に記録する記録手段と、
前記マイクロフォンの出力に基づいて、前記記録媒体に対する記録動作に伴って発生する音量と消費電力が互いに異なる複数の制御モードのうちの一つを選択し、この選択した制御モードにより前記記録手段の記録動作を制御する制御手段とを備える撮像装置。
【請求項２】
前記記録手段は前記記録媒体を移動するメカニズムを含み、前記複数の制御モードは前記メカニズムの制御手順が互いに異なることを特徴とする請求項１記載の撮像装置。
【請求項３】
前記記録手段は前記記録媒体に対してデータを記録する記録素子を移動するメカニズムを含み、前記複数の制御モードは前記メカニズムの制御手順が互いに異なることを特徴とする請求項１記載の撮像装置。
【請求項４】
前記記録媒体はディスク状記録媒体であり、前記記録手段は前記ディスク状記録媒体を回転させる回転手段を有し、前記複数の制御モードは前記ディスク状記録媒体を間欠的に回転させる第１の制御モードと、前記ディスク状記録媒体を連続的に回転させる第２の制御モードとを含むことを特徴とする請求項１記載の撮像装置。
【請求項５】
前記記録媒体はディスク状記録媒体であり、前記記録手段は前記ディスク状記録媒体に対してデータを記録する記録素子を前記ディスク状記録媒体の半径方向に移動する移動手段を有し、前記複数の制御モードは第１の速度で前記記録素子を移動する第１の制御モードと、前記第１の速度よりも速い第２の速度で前記記録素子を移動する第２の制御モードとを含むことを特徴とする請求項１記載の撮像装置。
【請求項６】
前記複数の制御モードは、第１の制御モードと、前記第１の制御モードよりも前記発生する音量が小さく消費電力が少ない第２の制御モードとを含み、前記制御手段は、前記マイクロフォンから出力された音声信号レベルが設定値よりも高い場合に前記第１の制御モードを選択し、前記音声信号レベルが前記設定値よりも低い場合には前記第２の制御モードを選択することを特徴とする請求項１記載の撮像装置。
【請求項７】
被写体を撮像する撮像手段と、
音声を集音するマイクロフォンと、
前記撮像手段により得られた画像データと前記マイクロフォンより得られた音声データとをディスク状記録媒体に記録する記録手段と、
前記マイクロフォンの出力に基づいて、前記記録媒体に対する記録動作に伴って発生する音量と、振動に伴う記録の中断後、記録が再開可能となるまでの期間が互いに異なる複数の制御モードのうちの一つを選択し、この選択した制御モードにより前記記録手段の記録動作を制御する制御手段とを備える撮像装置。
【請求項８】
前記複数の制御モードは、第１の制御モードと、前記第１の制御モードよりも前記発生する音量が小さく、前記記録再開までの期間が長い第２の制御モードとを含み、前記制御手段は、前記マイクロフォンから出力された音声信号レベルが設定値よりも高い場合に前記第１の制御モードを選択し、前記音声信号レベルが前記設定値よりも低い場合には前記第２の制御モードを選択することを特徴とする請求項７記載の撮像装置。
【請求項９】
被写体を撮像する撮像手段と、
音声を集音するマイクロフォンと、
前記撮像手段により得られた画像データと前記マイクロフォンより得られた音声データとを記憶するメモリと、
前記メモリに記憶されている画像データと音声データとを読み出してディスク状記録媒体に記録する記録手段と、
前記マイクロフォンの出力に基づいて、前記ディスク状記録媒体を連続的に回転させて前記画像データと音声データとを記録する第１の記録モードと、前記ディスク状記録媒体を間欠的に回転させると共に前記ディスク状記録媒体の回転に同期して前記メモリより前記画像データと音声データを読み出して記録する第２の記録モードとを切り替える制御手段とを備える撮像装置。
【請求項１０】
被写体を撮像する撮像手段と、
音声を集音するマイクロフォンと、
前記撮像手段により得られた画像データと前記マイクロフォンより得られた音声データとを記録媒体に記録する記録手段と、
撮影時における装置周辺の状況を検知する撮影状況検知手段と、
前記撮影状況検知手段の出力に基づいて、前記記録媒体に対する記録動作に伴って発生する音量と消費電力が互いに異なる複数の制御モードのうちの一つを選択し、この選択した制御モードにより前記記録手段の記録動作を制御する制御手段とを備える撮像装置。
【請求項１１】
前記撮影状況検知手段は、前記マイクロフォンの出力を用いて前記撮像装置周辺の音圧を測定する音圧検知手段を含み、前記音圧に応じて前記制御モードを選択すること特徴とする請求項１０記載の撮像装置。
【請求項１２】
前記撮影状況検知手段は、前記撮像装置周辺の光量を測定する光量検知手段を含むことを特徴とする請求項１０記載の撮像装置。
【請求項１３】
被写体を撮像する撮像手段と、
音声を集音するマイクロフォンと、
前記撮像手段により得られた画像データと前記マイクロフォンより得られた音声データを機械的動作により第１の記録媒体に記録する第１の記録手段と、
前記画像データと前記音声データを機械的動作を伴わず第２の記録媒体に記録する第２の記録手段と、
撮影時における装置周辺の状況を検知する撮影状況検知手段と、
前記撮影状況検知手段により記録動作の静音化が必要であると判別された場合、前記第１の記録手段による記録を禁止すると共に、前記第２の記録手段により前記画像データと音声データとを記録するよう前記第１の記録手段と第２の記録手段とを制御する制御手段を備える撮像装置。
【請求項１４】
前記撮影状況検知手段は、前記マイクロフォンの出力を用いて前記撮像装置周辺の音圧を測定する音圧検知手段を含み、前記音圧に応じて前記制御モードを選択すること特徴とする請求項１３記載の撮像装置。
【請求項１５】
前記撮影状況検知手段は、前記撮像装置周辺の光量を測定する光量検知手段を含むことを特徴とする請求項１３記載の撮像装置。
【請求項１６】
前記第１の記録媒体はディスク状記録媒体であり、前記第１の記録手段は前記ディスク状記録媒体を回転させる回転機構と、記録素子を前記ディスク状記録媒体の半径方向に移動させる移動機構とを有することを特徴とする請求項１３記載の撮像装置。
【請求項１７】
前記第２の記録媒体はメモリカードであることを特徴とする請求項１３記載の撮像装置。
【発明の詳細な説明】
【技術分野】
【０００１】
本発明は撮像装置に関し、更に詳しくは、記録時における記録動作の制御に関する。
【背景技術】
【０００２】
ディスクメディアの大容量化が急速に進展し、音声のみならず映像信号をも長時間記録再生する装置が提案されている。たとえば、ＭＰＥＧ等の高能率符号化処理に基づいた記録フォーマットを採用し、４Ｍｂｐｓ〜１０Ｍｂｐｓ程度の圧縮データレートで記録時間１時間以上のビデオカメラを実現し得る技術が民生レベルで展開している。
【０００３】
この種のディスクメディアを用いたビデオカメラ（以下ディスクカムコーダ）において、小型化・高密度化が推し進められるに伴い、ディスクカムコーダ内部の構成部品の充填密度が高まっている。
【０００４】
前述の如く、小型化・高密度化が推し進められるのに伴い、ディスクドライブユニットとマイクロフォンとが近接配置された場合に、ディスクドライブによる動作の直接音及び振動音がノイズとして録音されてしまうことが考えられる。
【０００５】
そこで、この様な問題を解決するため、内蔵する撮像手段やマイクロフォンからの画像、音声データを記録する際に、外部からの画像、音声データを記録するモードとは異なる制御プロファイルにて記録動作を制御し、マイクロフォンからの音声にノイズが混入しないように記録処理を制御する構成が提案されている（特許文献１参照）。
【特許文献１】特開２００３−１４３５２５
【発明の開示】
【発明が解決しようとする課題】
【０００６】
しかしながら、前記従来の構成では、撮像モードと再生モード、外部入力モードでは異なる記録制御を行っていたが、撮影モード中における記録制御の変更は行っていなかった。よって、周辺が騒がしく、メカニカルノイズに違和感がない場合においても、ノイズ低減のためにディスクドライブを連続回転させるため、通常の動作である間欠駆動時よりもディスク回転による消費電力が大きくなるといった問題があった。また、シーク速度を遅くしてモータのノイズを少なくした場合においても、ショックプルーフメモリの読み出し量が増えるため耐振動・衝撃性に劣るといった問題があった。
【０００７】
本発明は上記のような問題点を解決するためになされたものであり、撮影時の周辺状況に対応した記録制御を行い、ノイズが記録される恐れがある場合に応じた記録制御を行う装置を提供することを目的とする。
【課題を解決するための手段】
【０００８】
上記の目的を達成するために、本発明においては、被写体を撮像する撮像手段と、音声を集音するマイクロフォンと、前記撮像手段により得られた画像データと前記マイクロフォンより得られた音声データとを記録媒体に記録する記録手段と、前記マイクロフォンの出力に基づいて、前記記録媒体に対する記録動作に伴って発生する音量と消費電力が互いに異なる複数の制御モードのうちの一つを選択し、この選択した制御モードにより前記記録手段の記録動作を制御する制御手段とを備える。
【発明の効果】
【０００９】
本発明によれば、音圧レベルなど、装置周辺の状況に応じた最適な制御モードにて記録動作を制御でき、記録に伴って発生するノイズが記録されて理舞うことを防止することができる。
【発明を実施するための最良の形態】
【００１０】
（第１の実施形態）
以下、本発明第１の実施形態について図を参照しながら説明する。
【００１１】
図１は、本発明第１の実施形態におけるビデオカメラの構成を示すブロック図である。
【００１２】
ビデオカメラ本体１００は、図１に示すように、フォーカス及びズーム等の光学制御系を含む光学レンズ群及び絞りからなるレンズ１０１、ＣＣＤなどの撮像素子を含む撮像部１０２、カメラ信号処理部１０３、圧縮伸張処理部１０４、記録再生処理部１０５、ディスクメディア１１０、ディスク制御部１０９、メモリーカード１０７、表示部１０６、メモリ１１３、メモリ制御部１１４、ＣＰＵ１１５、操作部１１６、デジタルＩ／Ｆ１１７、マイクロフォン１１１、及び音声信号処理部１１２、入出力部１１８を備えている。
【００１３】
また、各機能ブロックはそれぞれデータバス１１９を介して互いにデータ通信可能に接続されている。
【００１４】
このようなビデオカメラ本体１００において、メモリ１１３は、データバス１１９を介して各機能ブロックでタイム・シェアリングして使用され、メモリ制御部１１４により制御及び管理されている。
【００１５】
ＣＰＵ１１５は所定のプログラムを実行すること等により、ビデオカメラ本体１００全体を統括制御する中央演算処理回路である。操作部１１６は種種の操作キーなどを有し、ユーザーからのキー操作などに基づいて、ＣＰＵ１１５に対して動作指示する機能を有する。デジタルＩ／Ｆ１１７は、例えばＩＥＥＥ１３９４やＵＳＢ等の規格に従い信号を授受する。
【００１６】
例えば、操作部１１６により撮像動作及び記録動作が指示された場合、被写体からの光は、レンズ１０１により所定の明るさ、画角、及びフォーカス等が制御された光学信号となって撮像部１０２に対して入力される。撮像部１０２は入力光学信号を電気信号に変換し、カメラ信号処理部１０３に出力する。カメラ信号処理部１０３はこの電気信号をデジタル画像信号に変換する。そして、この画像信号に対して、色分離、階調補正、及びホワイトバランス調整などの信号処理を施した後出力する。音声信号処理部１１２は、マイクロフォン１１１より入力された音声信号を所定レベルにゲインコントロールしてデジタル化することで、音声データとして出力する。
【００１７】
圧縮伸張処理部１０４は、カメラ信号処理部１０３から出力された画像データ及び音声信号処理部１１２から出力された音声データを所定の圧縮符号化方式により圧縮符号化する。表示部１０６は、圧縮伸張処理部１０４で圧縮符号化対象の撮像データをＬＣＤ等のモニタに表示する。また、表示部１０６は、必要に応じてビデオカメラ本体１００の動作状況をオンスクリーン・ディスプレイ情報として表示する。
【００１８】
記録再生処理部１０５は、圧縮伸張処理部１０４で得られた圧縮符号化後のデータに対して、エラー訂正符号化処理や変調処理等を施し、更に同期、ＩＤなどのデータを付加して記録に適した形態に変換した後、ディスクメディア１１０あるいはメモリーカード１０７等の記録媒体に記録する。この際、ディスク制御部１０９はディスクメディア１１０の回転やヘッドのシークなどを制御する。
【００１９】
一方、操作部１１６により再生動作が指示された場合、記録再生処理部１０５は、ディスクメディア１１０またはメモリーカード１０７から読み出したデータから元のデジタルデータを検出し、エラー訂正及び復調等の処理を施す。また、ＰＬＬ回路によりこの再生データに同期したクロックを生成する。
【００２０】
圧縮伸張処理部１０４は、記録再生処理部１０５より出力されたデータに対して、所定の圧縮符号化方式に対応した伸張処理を施し、圧縮符号化前の撮像データ及び音声データを取得する。表示部１０６は、圧縮伸張処理部１０４で得られた撮像データをＬＣＤ等に表示する。
【００２１】
また操作部１１６によりデジタルＩ／Ｆ１１７からの入力データを記録する指示があった場合、ＣＰＵ１１５はデジタルＩ／Ｆ１１７により、外部装置１２０ａからの画像データあるいは音声データをデジタル信号の状態で入力し、記録再生処理部１０５に送る。この際、外部装置１２０ａからの画像データ、音声データは既に符号化されているものとし、記録再生処理部１０５は前述のようにこの入力データに対して記録に必要な処理を施してディスクメディア１１０やメモリーカード１０７などの記録媒体に記録する。
【００２２】
また操作部１１６により、入出力部１１８からの入出力信号を記録する指示があった場合、ＣＰＵ１１５は入出力部１１８を制御し、外部装置１２０ｂから出力された画像、音声信号を入力する。入出力部１１８は外部装置１２０ｂから出力された画像、音声信号をデジタルデータに変換してメモリ１１３に出力する。ＣＰＵ１１５はこのメモリ１１３に記憶された画像、音声データを圧縮伸張処理部１０４に出力して圧縮符号化し、記録再生処理部１０５に送る。記録再生処理部１０５は前述の様にこの符号化されたデータに対して記録に必要な処理を施してディスクメディア１１０やメモリーカード１０７などの記録媒体に記録する。
【００２３】
メモリーカード１０７は、ＳＤカードやコンパクトフラッシュ（登録商標）等の脱着式のフラッシュメモリーであり、前述の様に撮像データ及び音声データが記録される。
【００２４】
次にディスクメディア１１０及びディスク制御部１０９の具体的構成及び一連の動作について説明する。図２は、ディスクメディア１１０及びディスク制御部１０９の構成を具体的に示したものである。ここでディスクメディア１１０は光磁気ディスクなどのディスク状記録媒体としている。
【００２５】
ディスク制御部１０９はディスクドライブとして機能し、図２に示すように、スピンドルモータ２０９、スピンドルモータドライバ２１０、シークモータ２０７、シークモータドライバ２０８、サーボＤＳＰ（Ｄｉｇｉｔａｌ  Ｓｉｇｎａｌ  Ｐｒｏｃｅｓｓｏｒ）２１１、光ピックアップ２０６、レーザードライバ２０５、受光素子２０３、磁気ヘッド２０２、磁気ヘッドドライバ２０１、及びプリアンプ２０４を備えている。
【００２６】
ディスク制御部１０９において、サーボＤＳＰ２１１は、スピンドルモータドライバ２１０を介してスピンドルモータ２０９を制御することで、ディスクメディア１１０に対して所定の回転サーボをかけると共に、シークモータドライバ２０８を介してシークモータ２０７を駆動制御することで、光ピックアップ２０６をディスクメディア１１０の所定のトラックにトレースさせる。また、サーボＤＳＰ２１１は、光ピックアップ２０６のアクチュエータを制御することで、フォーカス制御やトラッキング制御を行う。
【００２７】
ディスクメディア１１０からのデータ再生動作時には、レーザードライバ２０５は所定のパワーの光ビームをディスクメディア１１０に対して照射してディスクメディア１１０からの反射光量差を検出する。そして、この反射光を受光素子２０３により受光して電気信号に変換することで、反射光に対応した再生電気信号を取得し、これをプリアンプ２０４に対して出力する。
【００２８】
プリアンプ２０４は、入力再生電気信号を所定の信号レベルに増幅し、増幅後の信号に対してマトリックス演算処理などを施して出力する。プリアンプ２０４の出力信号は、再生データとして図１に示した記録再生処理部１０５に供給される。
【００２９】
ディスクメディア１１０へのデータ記録動作時には、レーザードライバ２０５は、所定のパワーの光ビームをパルス変調してディスクメディア１１０に対して照射する。これと同時に、磁気ヘッドドライバ２１０は、図１に示した記録再生処理部１０５からの処理後データ（記録変調信号）に基づき、磁気ヘッド２０２より記録変調磁界をかけることで、ディスクメディア１１０に対して磁気情報を記録する。
【００３０】
ここで図１に示したショックプルーフメモリ１０８について説明する。ショックプルーフメモリ１０８、は次のような理由により設けられる構成である。ディスクメディア１１０を記録媒体に用いたビデオカメラ本体１００においては、記録動作中、筐体への揺れや、振動、あるいは衝撃等により、ディスクサーボが外れてしまう事態に陥ることがある。この対策として、ビデオカメラ本体１００はショックプルーフメモリ１０８を備えている。
【００３１】
図３はショックプルーフメモリ１０８へのデータの書き込み及び読み出しの様子を示す図である。図３では横軸に時間（ｔ）を示し、縦軸にメモリ内に記憶されているデータの量とショックプルーフメモリ１０８に蓄積されたデータの読み出しタイミングを示している。図３に示すように時間ｔ＝０〜ｔ１では圧縮された記録対象のデータがショックプルーフメモリ１０８に蓄積される。また、時間ｔ＝ｔ１〜ｔ２では蓄積された記録データをディスクメディア１１０に書き込むため、データ量ｃがショックプルーフメモリ１０８から読み出される。例えば、時間ｔ＝ｔ３において外部からの衝撃を受け、サーボエラーが発生したものとする。この場合、サーボが復帰する時間ｔ＝ｔ４まで、ショックプルーフメモリ１０８内にデータが蓄積され続け、時間ｔ＝ｔ５で、ディスクメディア１１０の所定のトラックへのシーク、位置制御、及び記録スタンバイが完了するまでにデータ量ｂが蓄積される。そしてｔ＝ｔ５〜ｔ６で、蓄積された記録データがショックプルーフメモリ１０８から読み出されディスクメディア１１０に記録される。なお、図３において、データ量ａはショックプルーフメモリ１０８の最大容量よりも若干少ない所定値であり、後述のようにショックプルーフメモリ１０８のオーバーフローの判断に用いる。
【００３２】
このように、ショックプルーフメモリ１０８は、必要十分なメモリ容量を有し、記録対象のデータを間欠的にショックプルーフメモリ１０８から読み出すことで、外的ショックからリカバリすることができる。
【００３３】
次に、本発明第１の実施形態の特徴とするビデオカメラの記録制御動作において図を参照しながら説明する。
【００３４】
図４は本発明第１の実施形態に係るビデオカメラの記録制御動作の処理手順を示すフローチャートである。
【００３５】
まずステップＳ４０１において撮影モードであるか否か判別する。撮影モードではないと判別された場合、本処理を終了する。ステップＳ４０１において、撮影モードであると判別された場合、ステップＳ４０２に進む。ステップＳ４０２では、ＣＰＵ１１５においてマイクロフォン１１１から入力される音声レベル信号の時間的平均値を算出し、音圧レベル測定を行い、ステップＳ４０３に進む。ステップＳ４０３では、ステップＳ４０２で測定した音圧レベルが低い音圧レベルであるか否か判別する。低い音圧レベルであると判別され、ディスク制御部１０９の駆動音がノイズとして記録されてしまう可能性がある場合、ステップＳ４０４に進む。ステップＳ４０３において、測定音圧レベルが高いと判断された場合はステップＳ４０６に進む。ステップＳ４０４では、ＣＰＵ１１５において、ディスク制御部１０９に「静音モード」の選択を指示し、ステップＳ４０５に進む。ステップＳ４０５では、ディスク制御部１０９において、スピンドルモータ２０９の回転を連続回転に制御して本処理を終了する。
【００３６】
ステップＳ４０６では、ＣＰＵ１１５において、ディスク制御部１０９に「通常モード」の選択を指示し、ステップＳ４０７に進む。ステップＳ４０７では、ディスク制御部１１９において、スピンドルモータ２０９の回転を通常動作である間欠回転に制御して本処理を終了する。
【００３７】
ここで、ディスク制御部１０９によるスピンドルモータの回転制御に伴うショックプルーフメモリ１０８からディスクメディア１１０への蓄積データの読み出しタイミングについて図５を用いて説明する。
【００３８】
図５に示すように、ショックプルーフメモリ１０８からディスクメディア１１０へのデータ読み出しタイミングについては、時間ｔ＝０〜ｔ１で圧縮された画像、音声データがショックプルーフメモリ１０８に蓄積され、時間ｔ＝ｔ１〜ｔ２でショックプルーフメモリ１０８に蓄積された記録データが読み出され、ディスクメディア１１０に記録される。また、スピンドモータ２０９の間欠回転制御では、時間ｔ＝０〜ｔ１でスピンドルモータ２０９を停止し、時間ｔ＝ｔ１でスピンドルモータ２０９を所定の回転数に制御して、時間ｔ＝ｔ１〜ｔ２でスピンドルモータ２０９を駆動してディスクメディア１１０へデータを記録している。この記録終了と共に、時間ｔ＝ｔ２〜ｔ３で再びスピンドルモータ２０９を停止し、時間ｔ＝ｔ３〜ｔ４でスピンドルモータ２０９を再び駆動して所定回転数で動作する。
【００３９】
これに対し、スピンドモータ２０９の連続回転制御では、ディスクメディア１１０への記録動作の有無に係らず、時刻ｔ＝０からスピンドルモータ２０９を所定の回転数に制御し、常に回転駆動し続ける。
【００４０】
この様に、本発明第１の実施形態では、撮影モード時にマイクロフォン１１１によって音圧測定を行い、周辺が静かな場所において撮影を行っていると判断された場合、自動的にディスク制御部１０９を「静音モード」に設定し、スピンドルモータ２０９の回転制御を間欠回転制御から連続回転制御に切り替えるので、「通常モード」に比べて、スピンドルモータ２０９の駆動、停止による大きなモータノイズの発生を防止することが出来、マイクロフォン１１１により集音される音声にスピンドルモータ２０９の回転変化に起因する、ユーザーにとって聴感上不快なノイズが混入してしまうことを防止することが出来る。
【００４１】
また、周辺が騒がしい場所において撮影を行っており、ノイズに違和感がないと判断された場合には間欠回転制御を行うので、消費電力を低減することが出来る。
【００４２】
なお、本発明の実施形態では、マイクロフォン１１１を利用した音圧レベル測定により周辺の撮影状況（静寂性）を判別し、「静音モード」を設定する構成としたが、これに限るものではなく、例えば、被写体の光量レベルにより判別する構成としても良い。具体的には、映像信号を輝度信号に変換した値を平均化することによって画面全体の平均輝度を算出し、その平均輝度の値とその撮影時の絞り値およびシャッタースピードの値から、その被写体の明るさを測定する構成とする。被写体の光量レベルにより判別する理由としては、撮影環境が暗い時には夜間や室内等、静かな方が望ましいと考えられる場面の確立が高く、明るい場合には昼間の屋外のようにビデオカメラから生じる程度の音は問題ないような場面である確率が高いと判断することが可能であると考えられるためである。
【００４３】
また、本発明の実施形態では、ディスク状記録媒体に記録する記録装置として光磁気ディスクドライブを用いる構成について説明したが、これに限るものではなく、例えばハードディスクドライブや磁気ヘッドを必要としない光ディスクドライブを用いる構成としてもよい。
【００４４】
（第２の実施形態）
本発明第２の実施形態について図参照しながら説明する。
【００４５】
本発明第２の実施形態に係るビデオカメラ本体１００の構成は前記第１の実施形態と同様なので重複説明は省略する。
【００４６】
図６は本発明第２の実施形態に係るビデオカメラの記録制御動作の処理手順を示すフローチャートである。
【００４７】
まずステップＳ６０１において撮影モードであるか否か判別する。撮影モードではないと判別された場合、本処理を終了する。ステップＳ６０１において、撮影モードであると判別された場合、ステップＳ６０２に進む。ステップＳ６０２では、ＣＰＵ１１５においてマイクロフォン１１１から入力される音声レベル信号の時間的平均値を算出し、音圧レベル測定を行い、ステップＳ６０３に進む。ステップＳ６０３では、ステップＳ６０２で測定した音圧レベルが低い音圧レベルであるか否か判別する。低い音圧レベルであると判別され、ディスク制御部１０９の駆動音がノイズとして記録されてしまう可能性がある場合、ステップＳ６０４に進む。ステップＳ６０３において、測定音圧レベルが高いと判断された場合はステップＳ６０６に進む。ステップＳ６０４では、ＣＰＵ１１５において、ディスク制御部１０９に「静音モード」の選択を指示し、ステップＳ６０５に進む。ステップＳ６０５では、ディスク制御部１０９において、シークモータ２０７の駆動を低速に制御して本処理を終了する。
【００４８】
ステップＳ６０６では、ＣＰＵ１１５において、ディスク制御部１０９に「通常モード」の選択を指示し、ステップＳ６０７に進む。ステップＳ６０７では、ディスク制御部１０９において、シークモータ２０７の駆動を通常動作である高速に制御して本処理を終了する。
【００４９】
ここで、ディスク制御部１０９によるシークモータ２０７の移動制御に伴うショックプルーフメモリ１０８からディスクメディア１１０への蓄積データの読み出しタイミングについて図７を用いて説明する。
【００５０】
図７において、横軸は時間（ｔ）を示し、縦軸にショックプルーフメモリ１０８に記憶されているデータ量と、高速シーク制御と低速シーク制御におけるデータの読み出しタイミングを示している。
【００５１】
高速シーク制御では、時間ｔ＝ｔ１，ｔ５，ｔ７においてシーク動作が完了し、ショックプルーフメモリ１０８からの記録データｂが読み出させる。一方、低速シーク制御では、時間ｔ＝ｔ３，ｔ７においてシーク動作が完了し、ショックプルーフメモリ１０８からの記録データｂ’が読み出される。
【００５２】
この様に、シーク速度の違いによりショックプルーフメモリ？？からの記録データの読み出しタイミング及び読み出しデータ量が変わる。
【００５３】
ここで、低速シーク制御の場合、ショックプルーフメモリ１０８の最大値よりも若干少ない所定値であるデータ量ａを設定することで、ショックプルーフメモリ１０８がオーバーフロー状態であるか否かを判別し、その状態に応じてシーク速度を制御する構成とすることが望ましい。
【００５４】
この様に、本発明第２の実施形態では、撮影モード時にマイクロフォン１１１によって音圧測定を行い、周辺が静かな場所において撮影を行っていると判断された場合、自動的にディスク制御部１０９を「静音モード」に設定し、シークモータ２０７の駆動を低速制御に切り替えるので、「通常モード」に比べて、シーク時のモータノイズの発生を低く抑えることが可能となり、マイクロフォン１１１により集音される音声にシークモータの駆動に起因するノイズが混入してしまうことを防止することが出来る。
【００５５】
また、周辺が騒がしい場所において撮影を行っており、ノイズに違和感がないと判断された場合にはシークモータ２０７の駆動を高速制御に切り替えるので、ショックプルーフメモリ１０８の読み出し量を少なくすることが出来るので、オーバーフローに陥る危険性を少なくすることが出来る。
【００５６】
なお、本発明の実施形態では、ディスク状記録媒体に記録する記録装置として光磁気ディスクドライブを用いて、光ピックアップを低速制御する構成について説明したが、これに限るものではなく、例えばハードディスクドライブを記録装置として用いて、磁気ヘッドを低速制御する構成としてもよい。
【００５７】
（第３の実施形態）
本発明第３の実施形態について図参照しながら説明する。
【００５８】
本発明第３の実施形態に係るビデオカメラ本体１００の構成は前記第１の実施形態と同様なので重複説明は省略する。
【００５９】
図８は本発明第３の実施形態に係るビデオカメラの記録制御動作の処理手順を示すフローチャートである。
【００６０】
まずステップＳ８０１において撮影モードであるか否か判別する。撮影モードではないと判別された場合、本処理を終了する。ステップＳ８０１において、撮影モードであると判別された場合、ステップＳ８０２に進む。ステップＳ８０２では、ＣＰＵ１１５においてマイクロフォン１１１から入力される音声レベル信号の時間的平均値を算出し、音圧レベル測定を行い、ステップＳ８０３に進む。ステップＳ８０３では、ステップＳ８０２で測定した音圧レベルが低い音圧レベルであるか否か判別する。低い音圧レベルであると判別され、ディスク制御部１０９の駆動音がノイズとして記録されてしまう可能性がある場合、ステップＳ８０４に進む。ステップＳ８０３において、測定音圧レベルが高いと判断された場合はステップＳ８０６に進む。ステップＳ８０４では、ＣＰＵ１１５において、ディスク制御部１０９に「静音モード」の選択を指示し、ステップＳ８０５に進む。ステップＳ８０５では、ディスク制御部１０９において、ディスクメディア１１０への記録を禁止すると共に、メモリーカード１０７への記録スタンバイを指示し、本処理を終了する。
【００６１】
ステップＳ８０６では、ＣＰＵ１１５において、ディスク制御部１０９に「通常モード」の選択を指示し、ステップＳ８０７に進む。ステップＳ８０７では、ディスク制御部１０９において、ディスクメディアへの記録スタンバイを指示し、本処理を終了する。
【００６２】
この様に、本発明第３の実施形態では、撮影モード時にマイクロフォン１１１によって音圧測定を行い、周辺が静かな場所において撮影を行っていると判断された場合、自動的にディスク制御部１０９を「静音モード」に設定し、ディスクメディア１１０への記録を禁止すると共に、記録時に動作音を発生させないメモリーカード１０７への記録を行うので、機械的動作により記録を行う「通常モード」と異なり、マイクロフォン１１１により集音される音声にディスク制御部１０９の駆動に起因するノイズが混入してしまうことを防止することが出来る。
【００６３】
また、周辺が騒がしい場所において撮影を行っており、ノイズに違和感がないと判断された場合には、メモリーカードより記憶容量の大きいディスクメディアへの記録を行うので、長時間の記録が可能となる。
【図面の簡単な説明】
【００６４】
【図１】第１の実施形態におけるビデオカメラの構成を示すブロック図である。
【図２】ディスク制御部の構成を示すブロック図である。
【図３】ショックプルーフメモリへのデータの書き込み及び読み出しの様子を示す図である。
【図４】第１の実施形態に係るビデオカメラの記録制御動作の処理手順を示すフローチャートである。
【図５】ディスク制御部によるスピンドルモータの回転制御に伴うショックプルーフメモリからディスクメディアへの蓄積データの読み出しタイミングを示す図である。
【図６】第２の実施形態に係るビデオカメラの記録制御動作の処理手順を示すフローチャートである。
【図７】ディスク制御部によるシークモータの移動制御に伴うショックプルーフメモリからディスクメディアへの蓄積データの読み出しタイミングを示す図である。
【図８】第２の実施形態に係るビデオカメラの記録制御動作の処理手順を示すフローチャートである。
【図１】
2006005722.tif 000003
【図２】
2006005722.tif 000004
【図３】
2006005722.tif 000005
【図４】
2006005722.tif 000006
【図５】
2006005722.tif 000007
【図６】
2006005722.tif 000008
【図７】
2006005722.tif 000009
【図８】
2006005722.tif 000010